(57)【要約】【課題】ユーザーの所望する画質レベルに応じた部材交換時期の判断を可能にする。【解決手段】制御部１１は、画像の画質劣化度合いを推定した劣化推定情報を取得し、取得した劣化推定情報に基づき、画像処理部１７により、任意の画像データから将来の予測される画質を有する将来画像の画像データを生成し、生成された将来画像の画像データに基づいて、将来画像を出力部に出力させる。【選択図】図２
2019203997.tif 000002
【特許請求の範囲】
【請求項１】
画像の画質劣化度合いを推定した劣化推定情報を取得する情報取得部と、
前記情報取得部により取得した前記劣化推定情報に基づき、任意の画像データから将来の予測される画質を有する将来画像の画像データを生成する画像データ生成部と、
前記画像データ生成部により生成された前記将来画像の画像データに基づいて、前記将来画像を出力部に出力させる画像出力制御部と、
を備えることを特徴とする画像形成装置。
【請求項２】
所定の画像のノイズ情報を蓄積するノイズ情報蓄積部を備え、
前記情報取得部は、前記ノイズ情報蓄積部に蓄積された前記ノイズ情報に基づいて、前記劣化推定情報を取得することを特徴とする請求項１に記載の画像形成装置。
【請求項３】
前記ノイズ情報は、前記所定の画像の主走査方向又は副走査方向における明度の周波数特性であることを特徴とする請求項２に記載の画像形成装置。
【請求項４】
前記画像データ生成部は、前記任意の画像データに対して、前記劣化推定情報に対応した周波数フィルター処理を行って、前記将来画像の画像データを生成することを特徴とする請求項３に記載の画像形成装置。
【請求項５】
前記ノイズ情報は、前記所定の画像の主走査方向における明度分布プロファイルであることを特徴とする請求項２に記載の画像形成装置。
【請求項６】
前記画像データ生成部は、前記任意の画像データに対して、前記劣化推定情報に対応した明度に応じたγ補正を行って、前記将来画像の画像データを生成することを特徴とする請求項５に記載の画像形成装置。
【請求項７】
前記出力部は、前記将来画像を用紙上に形成する画像形成部であることを特徴とする請求項１から６のいずれか一項に記載の画像形成装置。
【請求項８】
前記出力部は、前記将来画像を表示する表示部であることを特徴とする請求項１から６のいずれか一項に記載の画像形成装置。
【請求項９】
前記所定の画像を読み取る画像読取部を備え、
前記情報取得部は、前記画像読取部が読み取った読取データに基づいて前記ノイズ情報を取得することを特徴とする請求項２から６のいずれか一項に記載の画像形成装置。
【請求項１０】
画像形成に関する部材の耐久情報を記憶する耐久情報記憶部を有し、
前記情報取得部は、前記耐久情報記憶部に記憶されている前記耐久情報に基づいて前記劣化推定情報を取得することを特徴とする請求項１に記載の画像形成装置。
【請求項１１】
コンピューターを、
画像の画質劣化度合いを推定した劣化推定情報を取得する情報取得部、
前記情報取得部により取得した前記劣化推定情報に基づき、任意の画像データから将来の予測される画質を有する将来画像の画像データを生成する画像データ生成部、
前記画像データ生成部により生成された前記将来画像の画像データに基づいて、前記将来画像を出力部に出力させる画像出力制御部、
として機能させるプログラム。
【発明の詳細な説明】
【技術分野】
【０００１】
本発明は、画像形成装置及びプログラムに関する。
【背景技術】
【０００２】
電子写真方式の画像形成装置では、長期の使用に伴って、形成した画像に縦横方向のスジムラが現れることが知られており、かかる不具合が発生した場合には、画像形成に関わる各部を交換するという処置が行われる。
そこで、ユーザーに各部の交換時期を事前に認識させるための様々な技術が検討されてきており、例えば、画像形成枚数やベルト駆動距離等を用いて演算したライフ表示値を基準に判断可能とする技術や、感光体の寿命にかかわる機能値を測定し、残寿命を予測する技術（例えば、特許文献１参照）などが提案されている。
【先行技術文献】
【特許文献】
【０００３】
【特許文献１】特開２０１６−１４５９１５号公報
【発明の概要】
【発明が解決しようとする課題】
【０００４】
しかしながら、交換タイミングが事前に予測されたとしても、実際の運用としては、装置のダウンタイム低減を図るため、品質不具合が発生するまで使い続ける場合も多い。
この場合、品質不具合が発生するタイミングが予測できないこと、また、所望する画像品質レベルがユーザーにより異なることから、こうした運用に適した交換タイミングの予測は困難である。例えば、上記特許文献１の技術の場合、あくまで機能値から見た交換タイミングの予測であり、そのタイミングを迎えた状態での画像がユーザーに許容されるかどうかは判断できない。
そして、急に画像不具合が出た場合はサービスコールとなるので、予測された交換タイミングで交換する場合よりも、却ってダウンタイムが長くなることがある。
【０００５】
本発明は、上記問題に鑑みてなされたものであって、ユーザーの所望する画質レベルに応じた、画像形成に関わる各部の交換時期の判断を可能にすることである。
【課題を解決するための手段】
【０００６】
上記課題を解決するため、
本発明の画像形成装置は、
画像の画質劣化度合いを推定した劣化推定情報を取得する情報取得部と、
前記情報取得部により取得した前記劣化推定情報に基づき、任意の画像データから将来の予測される画質を有する将来画像の画像データを生成する画像データ生成部と、
前記画像データ生成部により生成された前記将来画像の画像データに基づいて、前記将来画像を出力部に出力させる画像出力制御部と、
を備えることを特徴とする。
【０００７】
また、本発明のプログラムは、
コンピューターを、
画像の画質劣化度合いを推定した劣化推定情報を取得する情報取得部、
前記情報取得部により取得した前記劣化推定情報に基づき、任意の画像データから将来の予測される画質を有する将来画像の画像データを生成する画像データ生成部、
前記画像データ生成部により生成された前記将来画像の画像データに基づいて、前記将来画像を出力部に出力させる画像出力制御部、
として機能させるプログラムである。
【発明の効果】
【０００８】
本発明によれば、ユーザーの所望する画質レベルに応じた、画像形成に関わる各部の交換時期の判断が可能となる。
【図面の簡単な説明】
【０００９】
【図１】画像形成装置の概略構成図である。
【図２】画像形成装置の機能構成を示すブロック図である。
【図３】データ取得処理を示すフローチャートである。
【図４】データテーブルの一例である。
【図５】データテーブルの一例である。
【図６】データテーブルの一例を示す。
【図７】将来画像出力処理を示すフローチャートである。
【図８】周波数について、画像形成枚数に対するパワースペクトル値をプロットした一例である。
【図９】主走査方向位置について、画像形成枚数に対する明度をプロットした一例である。
【図１０】変形例を説明するためのデータの一例である。
【図１１】変形例を説明するためのデータの一例である。
【発明を実施するための形態】
【００１０】
以下、本発明の実施の形態について図面を参照して説明する。ただし、発明の範囲は、図示例に限定されない。
【００１１】
［画像形成装置の構成］
まず、本実施の形態における画像形成装置の構成について説明する。
図１は、本実施の形態に係る画像形成装置１００の概略構成を示す図である。図２は、画像形成装置１００の機能構成を示すブロック図である。
【００１２】
図１及び図２に示すように、画像形成装置１００は、例えば、プリントコントローラー１０、制御部１１、操作部１２、表示部１３、記憶部１４、通信部１５、原稿自動読取部１６、画像処理部１７、画像形成部１８、搬送部１９及び画像読取部２０等を備えて構成されている。
【００１３】
プリントコントローラー１０は、通信ネットワーク上のコンピューター端末からＰＤＬ（Page Description Language）データを受信し、当該ＰＤＬデータをラスタライズ処理してビットマップ形式の画像データを生成する。
プリントコントローラー１０は、Ｃ（シアン）、Ｍ（マジェンタ）、Ｙ（イエロー）及びＫ（黒）の色ごとに画像データを生成する。
【００１４】
制御部１１は、ＣＰＵ（Central Processing Unit）、ＲＡＭ（Random Access Memory）等を備えて構成されている。制御部１１は、記憶部１４に記憶されているプログラムを読み出し、当該プログラムに従って画像形成装置１００の各部を制御する。
【００１５】
操作部１２は、操作キーや表示部１３と一体に構成されたタッチパネル等を備え、これらの操作に応じた操作信号を制御部１１に出力する。ユーザーは、操作部１２により、ジョブの設定、処理内容の変更等の指示を入力することができる。
表示部１３は、ＬＣＤなどのディスプレイであり、制御部１１の指示に従って各種画面を表示する。
【００１６】
記憶部１４は、制御部１１が読み取り可能なプログラム、ファイル等を記憶している。記憶部１４としては、例えばハードディスク、ＲＯＭ（Read Only Memory）等の記憶媒体を用いることができる。
【００１７】
通信部１５は、制御部１１からの指示に従い、通信ネットワーク上のコンピューター、や他の画像形成装置などと通信する。
【００１８】
原稿自動読取部１６は、原稿トレイに載置された原稿Ｄを搬送機構により搬送して光学的に走査し、原稿Ｄからの反射光をＣＣＤ（Charge Coupled Device）センサーの受光面上に結像させて原稿Ｄの画像を読み取り、Ｒ（赤）、Ｇ（緑）及びＢ（青）の色ごとの画像データを生成して画像処理部１７に出力する。
【００１９】
画像処理部１７は、原稿自動読取部１６又はプリントコントローラー１０から入力された画像データを補正し、画像処理を施して、画像形成部１８に出力する。画像処理には、例えば、レベル補正処理、拡大／縮小処理、明るさ／コントラスト調整処理、シャープネス（鮮鋭化）処理、平滑化処理、色変換処理、トーンカーブ調整処理、フィルター処理等がある。かかる画像処理部１７は、制御部１１とともに、画像データ生成部として機能している。
【００２０】
画像形成部１８は、画像処理部１７から出力された画像データに基づき、用紙上に画像を形成する。
画像形成部１８は、図１に示すように、Ｃ、Ｍ、Ｙ及びＫの色ごとに、露光部１８ａ、感光体ドラム１８ｂ、帯電部１８ｃ及び現像部１８ｄを、４セット備えて構成されている。また、画像形成部１８は、中間転写ベルト１８ｅ、２次転写ローラー１８ｆ及び定着部１８ｇを備えて構成されている。
【００２１】
露光部１８ａは、発光素子としてＬＤ（Laser Diode）を備えている。露光部１８ａは、画像データに基づいてＬＤを駆動し、帯電部１８ｃにより帯電された感光体ドラム１８ｂ上にレーザー光を照射して露光する。現像部１８ｄは、帯電する現像ローラーにより感光体ドラム１８ｂ上にトナーを供給し、露光により感光体ドラム１８ｂ上に形成された静電潜像を現像する。
このようにして４つの感光体ドラム１８ｂ上に各色のトナーで形成された画像は、各感光体ドラム１８ｂから中間転写ベルト１８ｅ上に順次重ねて転写される。これにより、中間転写ベルト１８ｅ上にカラー画像が形成される。中間転写ベルト１８ｅは、複数のローラーに巻き回された無端ベルトであり、各ローラーの回転に従って回転する。
【００２２】
２次転写ローラー１８ｆは、中間転写ベルト１８ｅ上のカラー画像を、給紙トレイｔ１から給紙された用紙上に転写する。定着部１８ｇは、転写後の用紙を加熱及び加圧して定着処理する。
【００２３】
搬送部１９は、複数の搬送ローラー対を有する搬送経路を備え、給紙トレイｔ１に収納された用紙を画像形成部１８に搬送し、画像形成部１８にて画像形成された用紙を画像読取部２０に搬送した後、排紙トレイｔ２に排出させる。
【００２４】
画像読取部２０は、用紙上に形成された画像を読み取り、読み取った読取データを制御部１１に出力する。
画像読取部２０は、第１スキャナー２１Ａ、第２スキャナー２１Ｂ、分光測色計２２等を備える。第１スキャナー２１Ａ、第２スキャナー２１Ｂ及び分光測色計２２は、用紙搬送経路において、画像形成部１８の下流側に設けられており、画像形成後の用紙の画像形成面を、用紙が外部（排紙トレイｔ２）に排出される前に読み取り可能となっている。
【００２５】
第１スキャナー２１Ａ及び第２スキャナー２１Ｂは、搬送される用紙の裏面及び表面をそれぞれ読み取り可能な位置に配置される。
第１スキャナー２１Ａ及び第２スキャナー２１Ｂは、例えば、用紙搬送方向と直交し、かつ、用紙面と平行な方向（用紙幅方向）にＣＣＤ（Charge Coupled Device）がライン状に配列されたラインセンサーによって構成されている。第１スキャナー２１Ａ及び第２スキャナー２１Ｂは、搬送される用紙に形成された画像を読み取る画像読取部であり、得られた読取データを制御部１１（図２参照）に出力する。
以下、第１スキャナー２１Ａと第２スキャナー２１Ｂとを特に区別しない場合には、第１スキャナー２１Ａ及び第２スキャナー２１Ｂを総称してスキャナー２１という。
【００２６】
分光測色計２２は、用紙上に形成された画像に対し、波長毎に分光反射率を検出し、画像の色を測定する。分光測色計２２では、高精度に色情報を認識することができる。
【００２７】
［画像形成装置の動作］
次に、本実施の形態における画像形成装置１００の動作について説明する。
画像形成装置１００は、将来そうなると予測される画質の画像（将来画像）を出力することで、ユーザーに、画像形成に関わる各部の交換時期を認識させることを可能とさせるものである。具体的に、将来画像を出力するにあたっては、定期的に所定の画像のノイズ情報を取得・保存するためのデータ取得処理と、将来画像を実際に用紙に形成させる或いは表示部１３に表示させる将来画像出力処理と、が実行される。
【００２８】
＜データ取得処理＞
図３は、データ取得処理を示すフローチャートである。
【００２９】
先ず、制御部１１は、予め設定された所定タイミングに達したか否かを判断する（ステップＳ１１）。
所定タイミングとは、例えば、前回の当該処理の実施から所定枚数（例えば、１０００枚）分の画像形成が行われたタイミングや、画像形成装置１００の電源がＯＮとされたタイミングなどであり、ユーザーの任意で設定変更することも可能である。
【００３０】
そして、所定タイミングに達していないと判断した場合（ステップＳ１１：ＮＯ）、制御部１１は、本処理を終了する。
【００３１】
一方、所定タイミングに達したと判断した場合（ステップＳ１１：ＹＥＳ）、制御部１１は、操作部１２を介して、画像ノイズの検知用画像の出力を指示する指示操作が行われたか否かを判断する（ステップＳ１２）。
検知用画像は、例えば５０％濃度などの所定階調の画像であり、予め設定されている。
具体的に、制御部１１は、表示部１３に検知用画像の形成をするか否かを選択するポップアップ画像を表示し、操作部１２を介してポップアップ画像になされた選択操作に応じて、出力を指示する指示操作が行われたか否かを判断する。
なお、所定タイミングに達すると、画像ノイズ検知用画像を自動で出力する制御に切り替える切り替えスイッチを設け、当該切り替えスイッチに対する操作に応じて制御を切り替える構成としても良い。
【００３２】
そして、操作が行われないと判断した場合（ステップＳ１２：ＮＯ）、制御部１１は、本処理を終了する。
【００３３】
一方、操作が行われたと判断した場合（ステップＳ１２：ＹＥＳ）、制御部１１は、画像形成部１８により用紙に検知用画像を形成する（ステップＳ１３）。
【００３４】
次いで、制御部１１は、画像読取部２０により、用紙上に形成された検知用画像を読み取って画像の明度を測定する（ステップＳ１４）。
具体的に、制御部１１は、分光測色計２２を用いて、用紙上の検知用画像の明度（Ｌ＊）を測定する。測定は、用紙の主走査方向位置と副走査方向位置で示される複数点においてなされる。測定された読取データ（明度）は、記憶部１４のデータテーブルＴ１に格納される。
図４（ａ）に、データテーブルＴ１の一例を示す。
図４（ａ）に示すように、データテーブルＴ１には、主走査方向位置と副走査方向位置で示される複数点において測定された明度（Ｌ＊）が格納されている。
【００３５】
次いで、制御部１１は、データテーブルＴ１に格納された読取データを、副走査方向で平均化して、主走査方向の明度分布プロファイルを算出する（ステップＳ１５）。算出されたデータ（明度分布プロファイル）は、記憶部１４のデータテーブルＴ２に格納される。
図４（ｂ）に、データテーブルＴ２の一例を示す。
図４（ｂ）に示すように、データテーブルＴ２には、データテーブルＴ１に格納された読取データを、副走査方向で平均化したデータが格納されている。
なお、主走査方向で平均化して、副走査方向の明度分布プロファイルを算出することとしても良い。
【００３６】
次いで、制御部１１は、算出した明度分布プロファイルに対して離散フーリエ変換を行い、スジムラの周波数特性を算出する（ステップＳ１６）。
図５（ａ）に、算出された周波数特性（Ｆ（ω）（ｔ０））のグラフの一例を示し、図５（ｂ）に、図５（ａ）のグラフの領域Ｒの拡大図を示す。
【００３７】
次いで、制御部１１は、算出された周波数特性から、周期［cycle/mm］に対するパワースペクトル値を取得し、当該取得データを、この時点の画像形成枚数及び日付と紐付けて、記憶部１４のデータテーブルＴ３に格納（保存）し（ステップＳ１７）、本処理を終了する。
図６に、データテーブルＴ３の一例を示す。
図６に示すように、データテーブルＴ３には、画像形成枚数と日付ごとに、周期（ω）に対応したパワースペクトル値（ノイズ情報）が格納される。
【００３８】
かかる処理により、所定タイミングごとに検知用画像が出力されて、データが取得・蓄積されていくこととなる。なお、明度の代わりに濃度を用いることも可能である。
【００３９】
＜将来画像出力処理＞
図７は、将来画像出力処理を示すフローチャートである。
【００４０】
先ず、制御部１１は、画像形成に関わる各部（感光体ドラム部、帯電部、現像部など）の継続使用時間を計測するカウンターの値が、所定値を超えたか否かを判断する（ステップＳ２１）。
所定値は、例えば、予め定められた使用限界時間（寿命）の８０％などに設定される。
なお、転写部や定着部のカウンターを入れても良い。
【００４１】
そして、所定値を超えていない場合（ステップＳ２１：ＮＯ）、制御部１１は、本処理を終了する。
【００４２】
一方、所定値を超えた場合（ステップＳ２１：ＹＥＳ）、制御部１１は、操作部１２を介して、将来画像の出力を指示する指示操作が行われたか否かを判断し（ステップＳ２２）、指示操作が行われないと判断した場合（ステップＳ２２：ＮＯ）、本処理を終了する。
【００４３】
一方、指示操作が行われたと判断した場合（ステップＳ２２：ＹＥＳ）、制御部１１は、操作部１２を介して、どれくらい先の予測をするか（予測点：画像形成枚数）を指示する指示操作を受け付ける（ステップＳ２３）。
具体的に、制御部１１は、表示部１３に、画像形成枚数を入力する入力部を表示し、操作部１２を介して入力部になされた入力操作に応じて、どれくらい先の予測をするかを指示する指示操作を受け付ける。
【００４４】
次いで、制御部１１は、周波数特性の予測演算を実施する（ステップＳ２４）。
具体的に、先ず、制御部１１は、記憶部１４に記憶されたデータテーブルＴ３を参照し、周波数ごとに、画像形成枚数に対するパワースペクトル値をプロットし、そのプロットから近似直線を求める。次いで、制御部１１は、求めた近似直線を用いて指定された予測点でのパワースペクトル値を取得する。この予測点でのパワースペクトル値が、画像の画質劣化度合いを推定した劣化推定情報である。
図８は、周波数（ω１）について、画像形成枚数に対するパワースペクトル値をプロットした例である。近似直線は実線で示している。
図８の例では、現在から１００００枚画像形成した時点を予測点として設定しており、その予測点に対応したパワースペクトル値（劣化推定情報）が取得される。
同様にして、制御部１１は、各周波数（ω２、ω３・・・）において、予測点におけるパワースペクトル値を取得する。
【００４５】
次いで、制御部１１は、操作部１２を介して、出力の手法を指示する指示操作を受け付ける（ステップＳ２５）。
出力の手法とは、画像形成部１８により用紙に画像を形成するか、表示部１３に画像を表示するかのいずれかであり、制御部１１は、表示部１３に出力の手法を選択する選択部を表示し、選択部に対する操作に応じて、出力の手法を決定する。
【００４６】
次いで、制御部１１は、将来画像として出力する画像の画像データの読み込みを行う（ステップＳ２６）。ここで出力する画像はどのようなものでも良いが、この将来画像出力処理を繰り返し実行することを想定し、比較を容易にするため、常時同一の画像を用いることが好ましい。
【００４７】
次いで、制御部１１は、画像処理部１７により、読み込みを行った画像データに対して、周波数フィルター処理を行う（ステップＳ２７）。
具体的に、表示部１３に画像を表示する場合、制御部１１は、読み込みを行った画像データに対し、Ｆ（ω）（ｔ１）のフィルター処理を行う。
また、用紙に画像形成する場合、制御部１１は、読み込みを行った画像データに対し、Ｆ（ω）（ｔ１−ｔ０）のフィルター処理を行う。なお、用紙に画像形成する場合では、現在の画像形成装置１００の状態で既にＦ（ω）（ｔ０）分の画像ノイズが入った出力になるため、差分のＦ（ω）（ｔ１−ｔ０）のみを加算する処理を行う。
【００４８】
次いで、制御部１１は、フィルター処理を行った画像データを用いて、表示部１３に画像を表示、或いは、画像形成部１８により用紙に画像形成することにより、将来画像の出力を行う（ステップＳ２８）。
【００４９】
次いで、制御部１１は、操作部１２を介して、この処理の継続を指示する指示操作が行われたか否かを判断し（ステップＳ２９）、操作が行われたと判断した場合（ステップＳ２９：ＹＥＳ）、上記ステップＳ２３に戻って以降の処理を繰り返す。
継続が指示された場合、予測点を変更して将来画像の出力が行われることとなる。
【００５０】
一方、操作が行われない場合（ステップＳ２９：ＮＯ）、制御部１１は、本処理を終了する。
【００５１】
かかる処理により、個々の画像形成装置１００の使用状態の反映されたデータに基づいて、ユーザーの任意の時期（予測点）の将来画像を出力できるので、ユーザーは、所望する画質レベルがいつまで維持されるか、事前に精度良く認識することが可能となる。
【００５２】
［本実施の形態における効果］
以上のように、本実施の形態によれば、制御部１１は、画像の画質劣化度合いを推定した劣化推定情報を取得し、取得した劣化推定情報に基づき、画像処理部１７により、任意の画像データから将来の予測される画質を有する将来画像の画像データを生成し、生成された将来画像の画像データに基づいて、将来画像を出力部に出力させる。
このため、ユーザーは、出力された将来画像にて将来の画質を確認できるので、事前に、ユーザーの所望する画質レベルに応じた、画像形成に関する各部の交換時期の判断が可能となる。
【００５３】
また、本実施の形態によれば、所定の画像のノイズ情報を蓄積するノイズ情報蓄積部としてのデータテーブルＴ１−Ｔ３を備え、制御部１１は、データテーブルＴ１−Ｔ３に蓄積されたノイズ情報に基づいて、劣化推定情報を取得する。
このため、データテーブルＴ１−Ｔ３にノイズ情報を蓄積し、これを用いて劣化推定情報を取得する構成とすることができる。
【００５４】
また、本実施の形態によれば、ノイズ情報は、所定の画像の主走査方向又は副走査方向における明度の周波数特性である。
このため、ノイズ情報として、所定の画像の主走査方向又は副走査方向における明度の周波数特性を用いる構成とすることができる。
【００５５】
また、本実施の形態によれば、制御部１１は、任意の画像データに対して、劣化推定情報に対応した周波数フィルター処理を行って、将来画像の画像データを生成する。
このため、任意の画像データから、将来画像の画像データを生成することができる。
【００５６】
また、本実施の形態によれば、出力部は、将来画像を用紙上に形成する画像形成部１８である。
このため、ユーザーは、用紙上に形成された将来画像を確認することが可能となる。
【００５７】
また、本実施の形態によれば、出力部は、将来画像を表示させる表示部１３である。
このため、ユーザーは、表示部１３に表示された将来画像を確認することが可能となる。
【００５８】
また、本実施の形態によれば、所定の画像を読み取る画像読取部２０を備え、制御部１１は、画像読取部２０が読み取った読取データに基づいてノイズ情報を取得する。
このため、実測した読取データから、ノイズ情報を取得する構成とすることができる。
【００５９】
［変形例１］
なお、上記実施の形態においては、周期［cycle/mm］に対するパワースペクトル値（データテーブルＴ３参照）を用いて劣化推定情報を取得する構成を例示して説明したが、周波数特性の代わりに、明度分布プロファイル（データテーブルＴ２参照）を用いて将来画像を出力する構成とすることも可能である。即ち、明度分布プロファイルを、ノイズ情報として用いている。
【００６０】
この場合、制御部１１は、記憶部１４に記憶されたデータテーブルＴ２を参照し、主走査方向位置毎に、画像形成枚数に対する明度をプロットし、そのプロットから近似直線を求め、この近似直線を用いて指定された予測点での明度を決定する。
図９は、主走査方向位置（Ｘ１）において、画像形成枚数に対する明度をプロットした一例である。近似直線は実線で示している。
図９の例では、現在から１００００枚、画像形成した時点が予測点と設定され、その予測点に対応した明度値が、劣化推定情報として取得される。
同様にして、制御部１１は、各主走査方向位置（Ｘ２、Ｘ３・・・）において、予測点における明度値を求める。
【００６１】
そして、表示部１３に画像を表示する場合、制御部１１は、出力する画像データに対し、主走査方向位置毎の明度差Ｘ１ｔ１、Ｘ２ｔ１、…を加算するγ補正を行う。
また、用紙に画像を形成する場合、制御部１１は、出力する画像データに対し、主走査方向位置毎の明度差Ｘ１ｔ１−Ｘ１ｔ０、Ｘ２ｔ１−Ｘ２ｔ０、…を加算するγ補正を行う。
このようにすることで、上記実施の形態と同様に、将来画像を出力することができる。
【００６２】
［変形例２］
また、上記実施の形態においては、データ取得処理を実行しているが、データ取得処理を行わず、予め用意した既知の実験データで代用することも可能である。
【００６３】
例えば、図１０（ａ）〜図１０（ｃ）は、それぞれ、帯電部、現像部及び感光体に対するデータテーブルＴ１１〜Ｔ１３である。各データテーブルＴ１１〜Ｔ１３には、画像形成枚数ごとに、周波数（ω）に対するパワースペクトル値（耐久情報）がシミュレーション等により取得され、格納されている。なお、データテーブルＴ１１〜Ｔ１３は、耐久情報記憶部として機能している。
そして、例えば、帯電部２０ｋｐ、現像部３０ｋｐ、感光体１０ｋｐでの周波数特性を推定する場合、図１１に示すように、その合算値を求め、この合算値を用いて、劣化推定情報を取得する。
【００６４】
なお、本発明を適用可能な実施の形態は、上述した実施の形態及び変形例に限定されることなく、本発明の趣旨を逸脱しない範囲で適宜変更可能である。
【符号の説明】
【００６５】
１００  画像形成装置
１０  プリントコントローラー
１１  制御部（情報取得部、画像データ生成部、画像出力制御部）
１２  操作部
１３  表示部（出力部）
１４  記憶部（ノイズ情報蓄積部、耐久情報記憶部）
１５  通信部
１６  原稿自動読取部
１７  画像処理部（画像データ生成部）
１８  画像形成部（出力部）
１９  搬送部
２０  画像読取部（画像読取部）
２１Ａ  第１スキャナー
２１Ｂ  第２スキャナー
２２  分光測色計
Ｔ１、Ｔ２、Ｔ３  データテーブル
ｔ１  給紙トレイ
ｔ２  排紙トレイ
【図１】
2019203997.tif 000003
【図２】
2019203997.tif 000004
【図３】
2019203997.tif 000005
【図４】
2019203997.tif 000006
【図５】
2019203997.tif 000007
【図６】
2019203997.tif 000008
【図７】
2019203997.tif 000009
【図８】
2019203997.tif 000010
【図９】
2019203997.tif 000011
【図１０】
2019203997.tif 000012
【図１１】
2019203997.tif 000013